(57)【要約】ビット格納部(14)を備えたねじ回し器(10)は細長い開口部のあるコア(46)回りに回転できる。磁石が先にある押し棒(36)はコア(46)を通ってスライドする。磁気レバーアーム(80)はコア(46)に旋回するように連結され、スロット(76)の前方に傾けられる。押し棒(36)は伸び縮みの位置間でビット格納部(14)を通って移動する。伸びた位置においてコア(46)は隣接するビット格納穴(74)にスロット(76)を配置する部分に関して回転でき、またレバーアーム(80)は穴(74)におけるツールビット(70)を磁気によって引きつけてスロット(76)の方へを通って旋回するように傾けられる。押し棒(36)が引っ込んだ位置に移動する間ビット格納部(14)はコア(46)回りに回転できず、押し棒(36)はコア(46)にスロット(76)を通って穴(74)から離れてレバーアーム(80)及びツールビット(70)を押し、棒の磁石(44)は、ツールビットを磁気によって引きつけて前方に移動し、またシャフト(58)の開放先端を通って突き出るためにシャフト(58)を通ってツールビット(70)を前方に押す。【選択図】図１
2004520951.tif 000002
【特許請求の範囲】
【請求項１】
（ａ）開口部を有するコアと、
（ｂ）前記コアに関して回転可能のビット格納部と、
（ｃ）前記ビット格納部内に備えられた複数のビット格納穴と、
（ｄ）前記コアを通ってスライド可能に移動できる押し棒と、
（ｅ）前記押し棒の先端において支持される押し棒磁石と、
（ｆ）前記押し棒の後端におけるハンドグリップと、
（ｇ）前記コアに連結されるとともに前記ビット格納穴のうちの選択された一つの方に移動可能の磁気ビット交換アームと、
（ｈ）開口部を有し、前記コアの先端から前記コアに同軸に揃えて延びるシャフトと
を備えるねじ回し器であって、
（ i ）前記押し棒は、伸びた位置と引っ込んだ位置との間で前記コアを通って、且つ、前記ビット格納部を通ってスライド可能に移動でき、
（ ii）前記押し棒が前記伸びた位置にあるとき、
（１）前記押し棒磁石は、前記ビット格納穴の後方に配置され、
（２）前記コアは、前記ビット格納穴のうちの隣接する前記選択された一つに前記ビット交換アームを配置するために前記ビット格納部に関して回転可能であり、
（３）前記ビット交換アームは、前記ビット格納穴のうちの前記選択された一つに配置されるツールビットを前記ビット交換アームに磁気によって引きつけて、前記ビット格納穴のうちの前記選択された一つの方に伸ばされ、
（iii）前記伸びた位置から前記引っ込んだ位置への前記押し棒の移動にあたり、
（１）前記コアは、前記ビット格納部に関して回転不可能であり、
（２）前記押し棒は、前記ビット交換アーム、及び前記ビット格納穴のうちの前記選択された一つから離れるとともに前記シャフトに同軸に揃えて前記磁気によって引きつけられたツールビットを押し、
（３）前記押し棒磁石は、該押し棒磁石に前記ツールビットを磁気によって引きつけて、該磁気によって引きつけられたツールビットの後端の方に向けて前方に押され、
（４）前記押し棒は、前記磁気によって引きつけられたツールビットが前記シャフトの開放先端を通って突き出るまで、前記シャフトの中に前記磁気によって引きつけられたツールビットを前方に押して、前方に押されるねじ回し器。
【請求項２】
前記コアにおいてビット交換スロットをさらに備えることを特徴とする請求項１に記載のねじ回し器。
【請求項３】
前記引っ込んだ位置から前記伸びた位置への前記押し棒の移動にあたり、前記押し棒磁石は、前記押し棒が後方に引かれるときに前記押し棒の前記先端における前記磁気によって引きつけられたツールビットを磁気によって保持し、これにより隣接する前記ビット交換スロット及び前記ビット格納穴のうちの前記選択された一つに前記磁気によって引きつけられたツールビットを配置するために前記シャフトを通って前記磁気によって引きつけられたツールビットを後方に引くことを特徴とする請求項２に記載のねじ回し器。
【請求項４】
前記ビット交換アームは、前記コアに旋回するように連結されるとともに前記ビット交換スロットの方に傾けられる磁気レバーアームをさらに備えることを特徴とする請求項３に記載のねじ回し器。
【請求項５】
前記ビット交換スロットの方へ通って前記レバーアームを傾けるために前記レバーアームと前記シャフトとの間で連結される第１スプリングをさらに備え、前記伸びた位置から前記引っ込んだ位置への前記押し棒の前記移動が前記第１スプリングの傾斜に打ち勝って、前記レバーアームに逆らって前記押し棒の前記先端を押すことを特徴とする請求項４に記載のねじ回し器。
【請求項６】
前記引っ込んだ位置から前記伸びた位置への前記押し棒の前記移動は前記レバーアームから前記押し棒を引き出し、そうすると前記第１スプリングは、前記ビット格納穴のうちの前記選択された一つに前記ツールビットを走らせて、前記ビット交換スロットの方へ通って前記レバーアームを傾けることを特徴とする請求項５に記載のねじ回し器。
【請求項７】
前記コアは後方にベース部を有していることを特徴とする請求項１に記載のねじ回し器。
【請求項８】
前記コアは前記ビット格納穴のためのツールビットベース支持を形成する前方面を有していることを特徴とする請求項７に記載のねじ回し器。
【請求項９】
前記コアの後方部を二分するとともに前記コアの前記ベース部を二分する縦に延びるスロットをさらに備えることを特徴とする請求項８に記載のねじ回し器。
【請求項１０】
（ａ）前記ハンドグリップは外側スリーブをさらに備え、
（ｂ）前記ビット格納部は前記外側スリーブ内で伸縮自在にスライドできる内側スリーブをさらに備え、
前記ねじ回し器は、前記コアの前記二分された後方部における周囲尾根をさらに備え、前記尾根は、前記内側スリーブ内で前記コアを取り外し可能に、且つ、回転可能に保持するために前記内側スリーブの内表面における周囲溝内でかみ合わせ得ることを特徴とする請求項９に記載のねじ回し器。
【請求項１１】
（ａ）前記押し棒の中心前方部分を周囲に取り囲む前方の先細部と、
（ｂ）止め部と、
（ｃ）前記押し棒の方に前記止め部を傾けるために前記内側スリーブの内表面と前記止め部との間に連結される第２スプリングと
をさらに備えることを特徴とする請求項１０に記載のねじ回し器。
【請求項１２】
前記引っ込んだ位置から前記伸びた位置への前記押し棒の前記移動は隣接する前記止め部に前記先細部を配置し、そうすると前記第２スプリングは、前記先細部に前記止め部を傾け、これにより前記押し棒のさらに後方への移動を防ぐことを特徴とする請求項１１に記載のねじ回し器。
【請求項１３】
前記延びた位置から前記引っ込んだ位置への前記押し棒の前記移動にあたり、前記先細部は、前記止め部と接触し、前記第２スプリングの傾斜に打ち勝ち、また前記押し棒から離れて前記止め部を移動させ、これにより前記押し棒の前方への移動を許すことを特徴とする請求項１２に記載のねじ回し器。
【請求項１４】
前記第２スプリングと前記内側スリーブの前記内表面との間に配置される保持部材をさらに備え、前記ビット格納部に関する前記コアの回転にあたり、前記第２スプリングは、前記内側スリーブの前記内表面に形成された複数の溝のうちの一つに前記保持部材を傾けることを特徴とする請求項１３に記載のねじ回し器。
【請求項１５】
（ａ）前記内側スリーブの外表面において交互に配置される第１の縦に延びる複数の尾根及び溝と、
（ｂ）前記外側スリーブの内表面において交互に配置される第２の縦に延びる複数の尾根及び溝とをさらに備え、
（ i ）前記第１複数尾根は、前記第２複数溝に沿ってスライドできる縦の移動のためにサイズ及び形状が形作られ、
（ ii）前記第２複数尾根は、前記第１複数溝に沿ってスライドできる縦の移動のためにサイズ及び形状が形作られる
ことを特徴とする請求項１０に記載のねじ回し器。
【請求項１６】
前記ベース部の外表面において交互に配置される第３の縦に延びる複数の尾根及び溝をさらに備え、
（ i ）前記第３複数尾根は、前記第２複数溝に沿ってスライドできる縦の移動のためにサイズ及び形状が形作られ、
（ ii）前記第２複数尾根は、前記第３複数溝に沿ってスライドできる縦の移動のためにサイズ及び形状が形作られる
ことを特徴とする請求項１５に記載のねじ回し器。
【請求項１７】
（ａ）前記内側スリーブの前記内表面において交互に配置される第４の縦に延びる複数の尾根及び溝と、
（ｂ）前記シャフトの前記ベース部において交互に配置される第５の縦に延びる複数の尾根及び溝とをさらに備え、
（ i ）前記第４複数尾根は、前記第５複数溝に回転不可能なかみ合わせのためにサイズ及び形状が形作られ、
（ ii）前記第５複数尾根は、前記第４複数溝に回転不可能なかみ合わせのためにサイズ及び形状が形作られる
ことを特徴とする請求項１６に記載のねじ回し器。
【請求項１８】
前記第４複数溝のうちのそれぞれ一つは、前記ビット格納穴のうちの一つをさらに備えることを特徴とする請求項１７に記載のねじ回し器。
【請求項１９】
（ａ）前記コアは前方に突き出る柄をさらに備え、
（ｂ）前記柄及び前記シャフトは、六角形状の開口部を有するとともに、前記ビット交換スロットが前記ビット格納穴のうちの隣接する一つに配置されるときはいつでも六角形状に揃えられ、
（ｃ）前記ツールビットは、前記柄又は前記シャフト開口部のいずれか一方の任意の断面よりも小さい六角形状の断面を有する
ことを特徴とする請求項２に記載のねじ回し器。
【請求項２０】
（ａ）前記コアは前方に突き出る柄をさらに備え、
（ｂ）前記コア開口部は前記ツールビットの任意の断面よりも小さい断面を有する
ことを特徴とする請求項７に記載のねじ回し器。
【請求項２１】
前記第１、前記第２及び前記第３複数尾根及び溝は、前記ビット交換スロットが前記ビット格納穴のうちの一つに揃えられる前記内側スリーブに関して前記外側スリーブがいつでも伸縮自在でスライド可能に移動できるように、互いに揃えられることを特徴とする請求項１６に記載のねじ回し器。
【請求項２２】
前記コアにおいて前方に突き出る柄をさらに備え、前記柄は、前記シャフトにおける前方に勾配をつけられた後方ベース内に自ら中心にかみ合わせるための先細の前リムを有することを特徴とする請求項１に記載のねじ回し器。
【請求項２３】
前記ハンドグリップの前記後端における後方に突き出る柄をさらに備えることを特徴とする請求項１に記載のねじ回し器。
【請求項２４】
前記押し棒後端は前記柄内に置かれて固定されることを特徴とする請求項２３に記載のねじ回し器。
【請求項２５】
（ａ）開口部を有するコアと、
（ｂ）前記コアに関して回転可能のビット格納部と、
（ｃ）前記ビット格納部内に備えられた複数のビット格納穴と、
（ｄ）前記コアを通ってスライド可能に移動できる押し棒と、
（ｅ）前記押し棒の後端におけるハンドグリップと、
（ｆ）レバーアーム磁石を有し、前記押し棒に連結されるとともに前記ビット格納穴のうちの選択された一つの方に傾けられるレバーアームと、
（ｇ）開口部を有し、前記コアの先端から前記コアに同軸に揃えて延びるシャフトと
を備えるねじ回し器であって、
（ i ）前記押し棒は、伸びた位置と引っ込んだ位置との間で前記コアを通って、且つ、前記ビット格納部を通ってスライド可能に移動でき、
（ ii）前記押し棒が前記伸びた位置にあるとき、
（１）前記レバーアーム磁石は、前記ビット格納穴の後方に配置され、
（２）前記コアは、前記ビット格納穴のうちの隣接する前記選択された一つに前記ビット交換アームを配置するために前記ビット格納部に関して回転可能であり、
（３）前記レバーアームは、前記ビット格納穴のうちの前記選択された一つに配置されるツールビットを前記レバーアームに磁気によって引きつけて、前記ビット格納穴のうちの前記選択された一つの方に伸ばされ、
（iii）前記伸びた位置から前記引っ込んだ位置への前記押し棒の移動にあたり、
（１）前記コアは、前記ビット格納部に関して回転不可能であり、
（２）前記押し棒は、前記レバーアーム、及び前記ビット格納穴のうちの前記選択された一つから離れるとともに前記シャフトに同軸に揃えて前記磁気によって引きつけられたツールビットを押し、
（３）前記押し棒は、前記磁気によって引きつけられたツールビットが前記シャフトの開放先端を通って突き出るまで、前記シャフトの中に前記磁気によって引きつけられたツールビットを前方に押して、前方に押されるねじ回し器。
【請求項２６】
前記コアにおいてビット交換スロットをさらに備えることを特徴とする請求項２５に記載のねじ回し器。
【請求項２７】
前記引っ込んだ位置から前記伸びた位置への前記押し棒の移動にあたり、前記レバーアーム磁石は、前記押し棒が後方に引かれるときに前記磁気によって引きつけられたツールビットを磁気によって保持し、これにより隣接する前記ビット交換スロット及び前記ビット格納穴のうちの前記選択された一つに前記磁気によって引きつけられたツールビットを配置するために前記シャフトを通って前記磁気によって引きつけられたツールビットを後方に引くことを特徴とする請求項２６に記載のねじ回し器。
【請求項２８】
前記ビット交換スロットの方へ通って前記レバーアームを傾けるために前記レバーアームと前記押し棒との間に連結される第１スプリングをさらに備えることを特徴とする請求項２７に記載のねじ回し器。
【請求項２９】
前記伸びた位置から前記引っ込んだ位置への前記押し棒の前記移動は、前記第１スプリングの傾斜に打ち勝って、前記押し棒に軸上に揃えて前記レバーアームを旋回することを特徴とする請求項２８に記載のねじ回し器。
【請求項３０】
前記引っ込んだ位置から前記伸びた位置への前記押し棒の前記移動は前記ビット格納穴の後方に前記レバーアームを配置し、そうすると前記第１スプリングは、前記ビット格納穴のうちの前記選択された一つに前記ツールビットを磁気によって移動させて、前記ビット交換スロットの方へ通って前記レバーアームを傾けることを特徴とする請求項２９に記載のねじ回し器。
【請求項３１】
前記コアは後方にベース部を有していることを特徴とする請求項２６に記載のねじ回し器。
【請求項３２】
前記コアは前記ビット格納穴のためのツールビットベース支持を形成する前方面を有していることを特徴とする請求項３１に記載のねじ回し器。
【請求項３３】
前記コアの後方部を二分するとともに前記コアの前記ベース部を二分する縦に延びるスロットをさらに備えることを特徴とする請求項３２に記載のねじ回し器。
【請求項３４】
（ａ）前記ハンドグリップは外側スリーブをさらに備え、
（ｂ）前記ビット格納部は前記外側スリーブ内で伸縮自在にスライドできる内側スリーブをさらに備え、
前記ねじ回し器は、前記コアの前記二分された後方部における周囲尾根をさらに備え、前記尾根は、前記内側スリーブ内で前記コアを取り外し可能に、且つ、回転可能に保持するために前記内側スリーブの内表面における周囲溝内でかみ合わせ得ることを特徴とする請求項３３に記載のねじ回し器。
【請求項３５】
（ａ）前記コアにおける穴と、
（ｂ）前記レバーアームの後端における止め部と
をさらに備えることを特徴とする請求項３４に記載のねじ回し器。
【請求項３６】
前記引っ込んだ位置から前記伸びた位置への前記押し棒の前記移動は隣接する前記穴に前記止め部を配置し、そうすると前記第１スプリングは、前記押し棒の方に前記止め部を傾け、これにより前記押し棒の後方への移動を許すことを特徴とする請求項３５に記載のねじ回し器。
【請求項３７】
前記延びた位置から前記引っ込んだ位置への前記押し棒の前記移動にあたり、前記穴の先端は、前記止め部と接触し、前記第１スプリングの傾斜に打ち勝ち、また前記押し棒に方に前記止め部を移動させ、これにより前記押し棒の前記前方への移動を許すことを特徴とする請求項３６に記載のねじ回し器。
【請求項３８】
（ａ）前記セレクターコアにおける外側のくぼみにおいて配置される第２スプリングと、
（ｂ）前記第２スプリングと前記内側スリーブの前記内表面との間に配置される保持部材とを備え、前記ビット格納部に関する前記コアの回転にあたり、前記第２スプリングは、前記内側スリーブの前記内表面に形成された複数の溝のうちの一つに前記保持部材を傾けることを特徴とする請求項３７に記載のねじ回し器。
【請求項３９】
（ａ）前記内側スリーブの外表面において交互に配置される第１の縦に延びる複数の尾根及び溝と、
（ｂ）前記外側スリーブの内表面において交互に配置される第２の縦に延びる複数の尾根及び溝とをさらに備え、
（ i ）前記第１複数尾根は、前記第２複数溝に沿ってスライドできる縦の移動のためにサイズ及び形状が形作られ、
（ ii）前記第２複数尾根は、前記第１複数溝に沿ってスライドできる縦の移動のためにサイズ及び形状が形作られる
ことを特徴とする請求項３４に記載のねじ回し器。
【請求項４０】
前記ベース部の外表面において交互に配置される第３の縦に延びる複数の尾根及び溝をさらに備え、
（ i ）前記第３複数尾根は、前記第２複数溝に沿ってスライドできる縦の移動のためにサイズ及び形状が形作られ、
（ ii）前記第２複数尾根は、前記第３複数溝に沿ってスライドできる縦の移動のためにサイズ及び形状が形作られる
ことを特徴とする請求項３９に記載のねじ回し器。
【請求項４１】
（ａ）前記内側スリーブの前記内表面において交互に配置される第４の縦に延びる複数の尾根及び溝と、
（ｂ）前記シャフトの前記ベース部において交互に配置される第５の縦に延びる複数の尾根及び溝とをさらに備え、
（ i ）前記第４複数尾根は、前記第５複数溝に回転不可能なかみ合わせのためにサイズ及び形状が形作られ、
（ ii）前記第５複数尾根は、前記第４複数溝に回転不可能なかみ合わせのためにサイズ及び形状が形作られる
ことを特徴とする請求項４０に記載のねじ回し器。
【請求項４２】
前記第４複数溝のうちのそれぞれ一つは、前記ビット格納穴のうちの一つをさらに備えることを特徴とする請求項４１に記載のねじ回し器。
【請求項４３】
（ａ）前記コアは前方に突き出る柄をさらに備え、
（ｂ）前記柄及び前記シャフトは、六角形状の開口部を有するとともに、前記ビット交換スロットが前記ビット格納穴のうちの隣接する一つに配置されるときはいつでも六角形状に揃えられ、
（ｃ）前記ツールビットは、前記柄又は前記シャフト開口部のいずれか一方の任意の断面よりも小さい六角形状の断面を有する
ことを特徴とする請求項２６に記載のねじ回し器。
【請求項４４】
（ａ）前記コアは前方に突き出る柄をさらに備え、
（ｂ）前記コア開口部は前記ツールビットの任意の断面よりも小さい断面を有する
ことを特徴とする請求項３１に記載のねじ回し器。
【請求項４５】
前記第１、前記第２及び前記第３複数尾根及び溝は、前記ビット交換スロットが前記ビット格納穴のうちの一つに揃えられる前記内側スリーブに関して前記外側スリーブがいつでも伸縮自在でスライド可能に移動できるように、互いに揃えられることを特徴とする請求項４０に記載のねじ回し器。
【請求項４６】
前記コアにおいて前方に突き出る柄をさらに備え、前記柄は、前記シャフトにおける前方に勾配をつけられた後方ベース内に自ら中心にかみ合わせるための先細の前リムを有することを特徴とする請求項２５に記載のねじ回し器。
【請求項４７】
前記ハンドグリップの前記後端における後方に突き出る柄をさらに備えることを特徴とする請求項２５に記載のねじ回し器。
【請求項４８】
前記押し棒後端は前記柄内に置かれて固定されることを特徴とする請求項４７に記載のねじ回し器。
【発明の詳細な説明】
【技術分野】
【０００１】
本発明は、ねじ回し器のチャックからビットを引き出し、リボルバー型のマガジンにそのビットを戻し、マガジンから異なったビットを選び、また選択されたビットをチャックに送り込むために作動することができる複合ビットねじ回し器に関する。
【背景技術】
【０００２】
先行技術は、ねじ回し器のチャックにビット格納マガジンから直接的にビットを装着するための機構や、チャックからビットを移動させたり、マガジンにそれらを戻したりするための機構を組込むといった、種々の幅広い複合ビットねじ回し器を発展させている。例えば、１９２６年４月６日に発行された米国特許第１５７９４９８号においてアンダーソンは、ビット格納マガジンがねじ回し器のハンドルの内側周囲において放射状に間隔をおいた複数の部屋を備えるねじ回し型ツールを提供している。ハンドルの端のキャップは、選択されたビット部屋とともに揃って回される。このとき、「プランジャーピン」は、選択されたビットがプランジャーピンによって先に塞がれた空間に立ち寄ることを許して、キャップを通って引き出される。その後、プランジャーピンは、ビットの先端がビットチャックを通ってシャフトの外側端に達するまで、ハンドル反対側端から突き出る、開口部を有するシャフトを通って選択されたビットを無理に押し込むためにキャップを通って押し戻される。
【０００３】
アンダーソンの装置はいくつかの不都合を有している。例えば、その一つはビットを選択し、装着するためにキャップ及びプランジャーピンを別々に操作しなければならない。さらなる不都合は、アンダーソンの装置がプランジャーピンによって退避させられた空間にその格納部屋からビットを移動させる重力の力に依存するということ、或いは空の格納部屋にビットを戻すことである。重力の力はまた、チャックからビットを取り除くために使用される（すなわち、そのツールは垂直に保持され、また、プランジャーピンは、ビットがチャックから落ちてプランジャーピンによって退避させられた空間にシャフトを通って立ち寄ることを許して引き出される）。従って、ビットが取り付けられ、取り外されるときに、重力の力を適切に利用するために、使用者が水平及び垂直の様々な位置との間でそのツールを適応させ、操作することが必要である。本発明はこれらの不都合を克服するものである。
【発明の開示】
【０００４】
（発明の要約）
本発明は、一実施形態において、ビット格納部及びハンドグリップをそれぞれ形成する伸縮自在にスライドできる内側及び外側のスリーブを有しているねじ回し器を提供する。複数のビット格納穴は、各穴にツールビットが格納され得るように、内側スリーブの内側周辺において形成される。開口部を有するコアは、内側スリーブ内で縦に延びており、外部スリーブ内で延びるとともに外部スリーブによってスライド可能に支持されるベース部に連結される。開口部を有するシャフトは、コアの開口部と同軸に揃えてコアの先端から延びる。押し棒の後端は、内側スリーブ、コア及びシャフトを通って押し棒が縦に同軸で押され得るように、外側スリーブの後端に固定される。磁石は押し棒の先端で支持される。コアは、ビット交換スロットが提供される柄であって、前に突き出している、開口部を有する柄を有している。磁気レバーアームはコアに連結され、ビット交換スロットの方に傾けられる。押し棒は、伸びた位置と引っ込んだ位置との間でコア及び内側スリーブを通ってスライド可能に移動することができる。
【０００５】
押し棒が伸びた位置にあるとき、押し棒磁石は、ビット格納穴の後方に配置され、コアは、隣接する選択されたビット格納穴にビット交換スロットに配置するために内側スリーブに関して回転されることができ、また、レバーアームは、選択されたビット格納穴において配置されたツールビットをレバーアームに磁気によって引きつけて、ビット交換スロットの方へ通って旋回するように傾けられる。押し棒が伸びた位置から引込んだ位置に移動されるときに、それは、最初に、レバーアーム、及びビット交換スロットを通ってコアの中に、選択されたビット格納穴から離れて磁気によって引きつけられたツールビットを押す。このとき、押し棒の磁石は、ツールビットの後端の前方に押され、押し棒磁石の方にツールビットを磁気によって引きつける。その後、押し棒は、ツールビットがシャフトの開放先端を通って突き出るまで、コア及びシャフトを通ってツールビットを前方に押して、コア及びシャフトを通って押される。
【０００６】
引込んだ位置から伸びた位置への押し棒の移動にあたって、押し棒が後方に引かれ、押し棒磁石が押し棒の先端におけるツールビットを磁気によって保持し、これにより隣接するビット交換スロット、及びビット格納穴の選択された一つにツールビットを磁気によって引きつけた位置にシャフト及びコアの柄を通って後方に磁気によって引きつけたツールビットを引く。第１スプリングは、ビット交換スロットの方へ通ってレバーアームを傾けるためにレバーアームとコアとの間で連結される。伸びた位置から引込んだ位置への押し棒の移動は、第１スプリングの傾斜に打ち勝って、レバーアームに逆らって、押し棒の先端を押す。引込んだ位置から伸びた位置への外側スリーブの移動は、レバーアームから押し棒を引き出し、そうすると第１スプリングは、ビット格納穴にツールビットを後ろに走らせて、ビット交換スロットの方へ通ってレバーアームを傾ける。
【０００７】
第１の縦に延びる複数の尾根及び溝は、内側スリーブの外表面において交互に配置されることができる。第２の縦に延びる複数の尾根及び溝は、外側スリーブの内表面において交互に配置されることができる。第１の複数尾根は、第２の複数溝に沿ってスライド可能の縦の移動のためにサイズ及び形状が形作られ、また、第２の複数尾根は、第１の複数溝に沿ってスライド可能の縦の移動のためにサイズ及び形状が形作られる。第３の縦に延びる複数の尾根及び溝は、ベース部の外表面において交互に配置されることができる。第３の複数尾根は、第２の複数溝に沿ってスライド可能の縦の移動のためにサイズ及び形状が形作られ、また、第２の複数尾根は、第３の複数溝に沿ってスライド可能の縦の移動のためにサイズ及び形状が形作られる。尾根及び溝は、内側スリーブに関して外側スリーブがいつでも伸縮自在でスライド可能に移動できるように、互いに揃えられ、ビット交換スロットがビット格納穴のうちの一つに揃えられる。
【発明を実施するための最良の形態】
【０００８】
ねじ回し器１０（図１〜図５）は、ハンドグリップ及びビット格納部をそれぞれ形成する中空の外側及び内側スリーブ１２，１４を組込む。以下に説明するように、外側スリーブ１２の内径は、スリーブ１２，１４が互いに関して伸縮自在に往復移動することを許すために内側スリーブ１４の外径よりわずかに大きい。外側スリーブ１２は、閉塞後端 （すなわち図１〜図３中右側参照）１６及び開放先端（すなわち図１〜図３中左側参照）１８を有している。内側スリーブ１４は、開放後端２０及び開口部のある後端２２を有している。複数の縦に延びる尾根２４及び溝２６は、内側スリーブ１４の外表面において交互に配置される。同等の複数の縦に延びる尾根２８及び溝３０は、外側スリーブ１２の内表面において交互に配置される。尾根２４は、溝３０に沿って滑らかにスライドできる縦の移動のためにサイズ及び形状が形作られ、また、尾根２８は、溝２６に沿って滑らかにスライドできる縦の移動のためにサイズ及び形状が形作られる。
【０００９】
ねじ３２は、外側スリーブ１２の後端１６の中央内側前方面に押し棒３６の後端３４を解除可能に固定する。押し棒３６は、同軸に揃ったスリーブ１２，１４を通って縦に同軸に延びる。開放先端を有する円筒状の穴４０は、押し棒３６の先端４２に形成される。押し棒磁石４４は、穴４０の内に接着剤でつけられるか又は圧着される。
【００１０】
セレクターコア４６は内側スリーブ１４内に装着される。複数の短く、縦に延びる尾根４８及び溝５０は、セレクターコア４６の放射状に外側に延びる後方ベース部５２の周囲において交互に配置される。尾根４８及び溝５０は、外側スリーブ１２の内表面において、溝３０及び尾根２８に沿ってそれぞれスライドできる縦の移動のためにサイズ及び形状が形作られる。スロット５７は、セレクターコア４６の略後半分にスプリング傾斜特性を縦に二分して伝える。一対の周囲に外側に延びる尾根５５は、ベース部５２の前方にセレクターコア４６において形成され、スロット５７のいずれか一方側における尾根のようなものである。嵌合円周溝５９は、後端２０前方に、内側スリーブ１４の内表面において形成される。ネジ回し器１０の組立にあたり、セレクターコア４６は、内側スリーブ１４の開放後端２０を通ってスライド可能に挿入される。スロット５７は、セレクターコア４６の後半分がお互いの方に押しつけられることを許し、このようにして、これらの尾根が内側スリーブ１４の開放後端を貫通し得るように、放射状に内側に尾根５５を押しつける。押圧力が解除されるときには、前述のスプリング傾斜特性は、溝５９に尾根５５を配置して、セレクターコア４６の別々に二分された後半分を押す。セレクターコア４６は、これにより内側スリーブ１４内で取り外し可能に、且つ、回転可能に保持される。（好ましくは六角形状の）開口部を有する柄５４は、セレクターコア４６を通って縦に延びる円筒状の開口部５３に同軸に揃えてセレクターコア４６の前方面５６の中央からに前方に延びる。押し棒３６は、図２及び図３に示すように、スロット５７に関してセレクターコア４６の押圧を抑制して、開口部５３及び柄５４を通って延び、これにより、内側スリーブ１４内からのセレクターコア４６の移動を防ぐ。
【００１１】
（好ましくは六角形状の）開口部を有するスチールシャフト５８は、内側スリーブ１４の先端２２における開口部６０を通って延びる。シャフト５８の（また好ましくは六角形状の開口部を有する）先端はツールビット保持チャック６２を構成する。溝６６とともに交互に配置され、放射状に間隔をおいて外側に突き出ている複数の尾根６４は、シャフト５８の後方ベース６８に備えられる。尾根６４及び溝６６は、内側スリーブ１４の内表面においてそれぞれ形成される溝７４及び尾根７２（図４）内に嵌合するためにサイズ及び形状が形作られる。ネジ回し器１０の組立にあたり、また、前述したように内側スリーブ１４へのセレクターコア４６の挿入前に、ベース６８の前方面が内側スリーブ１４の先端２２の内側後方面に達するまで、シャフト５８が内側スリーブ１４を通って、且つ、開口部６０を通って、スライド可能に挿入される。このとき、シャフト５８が前方に引っ張られる一方、内側スリーブ１４が同時に後方に引っ張られる。そのような引っ張りは、図２及び図３に示すように、内側スリーブ１４の先端２２の前方面に逆らって、開口部６０を通ってシャフト５８の先細のカラー６１を引くとともに、カラーフランジ６３の後方面に堅固に配置する。尾根６４及び溝６６は、ねじ回し器１０の正常なねじ回し操作にあたってシャフト５８及び内側スリーブ１４に与えられたねじれ力に対するねじれ抵抗を供給して、内側スリーブ１４の溝７４及び尾根７２内で噛み合わされ続ける。柄５４の前リム７３は先細にされ、また、シャフト５８のベース６８の後方面７５（図２及び図３）は、前述したよう、セレクターコア４６が内側スリーブ１４内に挿入されるときに、リム７３が徐々に突き当たるとともに面７５内に自ら中心に置かれるように、内側に前方に傾斜されるか又は先細にされる。この自ら中心に置く動作は、ねじ回し器１０のビット交換操作にあたって（すなわち押し棒３６がシャフト５８から引き出されるとき）それに与えられた力により柄５４のオフ軸移動に抵抗することにより、柄５４及びシャフト５８を同軸に揃えて支持する。
【００１２】
前述したように、セレクターコア４６、柄５４及びシャフト５８がスリーブ１４内で組み立てられた後、セレクターコアベース部５２は、内側スリーブ１４の後端２０から後方に突き出る。このとき、前述したように、それに固定された押し棒３６を備えた外側スリーブ１２は、柄５４における同軸に揃った六角形状の開口部７８を通って、シャフト５８における同軸に揃った六角形状の開口部６５（特に図２参照）に、セレクターコア４６における開口部５３を通って通過する押し棒３６により、セレクターコアベース部５２及び内側スリーブ１４にスライド可能にぴったりはめられる。外側スリーブ１２の先端１８が、突き出しているセレクターコアベース部５２に到達するとき、スリーブ１２の内表面における溝３０及び尾根２８が、ベース部５２における尾根４８及び溝５０にそれぞれ揃えられるとともにスライド可能に前進される。スリーブ１２の先端１８が、内側スリーブ１４の後端２０に到達するとき、スリーブ１２の内表面における溝３０及び尾根２８が、スリーブ１４の外表面における尾根２４及び溝２６にそれぞれ揃えられるとともにスライド可能に前進される。
【００１３】
柄５４は、その縦に延びる六角形状の開口部７８をセレクターコア４６のベース５２の尾根４８及び溝５０に揃えるために形成される。シャフト５８は、その縦に延びる六角形状の開口部６５をシャフト５８のベース６８の尾根６４及び溝６６に揃えるために形成される。前述したように、ねじ回し器１０が組み立てられるとき、以下に説明するように、六角形状の開口部６５，７８がそれに沿う断面六角形状のツールビットの滑らかな通過を容易にするため、互いに六角形状に揃えられるように、スリーブ１２，１４及びセレクターコアベース５２における尾根及び溝が揃えられる。
【００１４】
好ましくは断面六角形状の複数のツールビット７０は、それぞれのツールビット７０のための後方のベース支持として役立つセレクターコア４６の前方面５６の前方に、内側スリーブ１４の前方部内に備えられる。特に図４に示すように、一つのトールビット７０は、各溝７４内に格納され得る。従って、内側スリーブ１４は、個々のビット格納穴を構成する溝７４のうちのそれぞれ一つで「ビット格納部」を構成する。
【００１５】
以下に説明するように、回転可能に配置できるビット交換スロット７６は、ツールビット７０のうちの選択された一つ（７０Ａ）が柄５４の六角形状の開口部７８にスロット７６を通って溝７４のうちの一つから移動することを許すために、柄５４に沿って縦に延びる。柄５４の中の入れられていない部分は、それが回転可能に配置されるときにビット交換スロット７６に最後に整列するための位置でそのそれぞれの溝７４において選択されないツールビットを維持する。磁気「交換ビット」レバーアーム８０は、セレクターコア４６における開口部８４を通って、且つ、レバーアーム８０における開口部８６を通って延びるピボットピン８２によってセレクターコア４６に旋回するように連結される。第１スプリング８８は、特に図２に示すように、レバーアーム８０の後端９０と、くぼみ９２内のセレクターコア４６の壁部との間で延びる。くぼみ９２は、その前述した壁部の前方に、柄５４の開口部７８と連通するために孔が開けられており、また、レバーアーム８０は内側に階段形状を有している。これは、開口部８４，８６を通ってピボットピン８２の挿入に先立って、くぼみ９２を通って柄５４の開口部７８へのレバーアーム８０の先端９１の挿入を容易にする。第１スプリング８８は、図２に示すように、ビット交換スロット７６の方へ通ってレバーアーム８０の先端９１を傾ける。
【００１６】
前方の先細部９３は、押し棒３６の中心前方部分を周囲に取り囲む。同様に先細にされた内面を有する止め部９４は、セレクターコア４６における後方の第２くぼみ９６内に装着される。第２スプリング９８は、止め部９４の外面に逆らって保持され、「Ｕ」字形状の保持部材１００によって保護される。第２スプリング９８は、止め部９４を押し棒３６の方に径方向内側に傾ける。以下に説明するように、保持部材１００の外表面は、内側スリーブ１４の内表面における溝７４のうちの一つに関して保持部材１００のスライド可能の交換を適用させるためにサイズ及び形状が形作られる。
【００１７】
操作においては、人を楽しませるねじ回し器１０は図３に描かれた位置であって組み立てられて引込んだ位置にあり、使用者が一方の手でシャフト５８をつかみ、他方の手で外側スリーブ１２をつかむ。このとき、外側スリーブ１２は、図２に示すように、押し棒３６の先細部９３が第２くぼみ９６に隣接している、伸びた位置に後方へ引かれ、そうすると、第２スプリング９８が先細部９３に止め部９４を径方向内側に押す。先細部９３の先端で径方向に突き出るリム１０４は、押し棒３６又は外側スリーブ１２のさらに後方への移動を防いで、止め部９４に接触する。この引く動作はまた、図２に示すように、セレクターコア４６の前方面５６の後方に配置された押し棒磁石４４を残しておき、シャフト５８及び柄５４を通って、後方に押し棒３６を引き出し、そして、お互いに関してスリーブ１２，１４の同軸の回転を許して、内側スリーブ１４の後端２０の後方に外側スリーブ１２の先端１８を配置する。スリーブ１２，１４がビットを選択するために回転されるときに、レバーアーム８０の内側に傾いた先端９１は、端９１がツールビット７０に出合うように、径方向内側及び外側に回動する。
【００１８】
前に説明したように、セレクターコア４６のベース５２における尾根４８及び溝５０は、外側スリーブ１２の内表面においてそれぞれ溝３０及び尾根２８内にスライド可能に受け入れられる。従って、内側スリーブ１４に関する外側スリーブ１２の回転は、ビット交換スロット７６が内側スリーブ１４の内表面における溝７４（すなわちビット格納穴）のうちの隣接する任意に選択された一つに位置付けられ得ることを許して、セレクターコア４６及び柄５４を同時に回転させる。或いは、ビット交換スロット７６は、外側スリーブ１２、セレクターコア４６、柄５４及びビット交換スロット７６に関して内側スリーブ１４を回転させることによって溝７４のうちの隣接する一つに位置付けられ得る。ビット交換スロット７６が溝７４のうちの隣接する一つに位置付けられるときはいつでも、第２スプリング９８は、「クリック」音を生じさせるとともに、スリーブ１２が、ビット格納穴溝７４のうちの一つからビットを引き出するために内側スリーブ１４上にスライド可能に前進させ得るように、合わせられる使用者に示すために触覚のフィードバックを提供して、スリーブ１４の溝７４のうちの対応する一つに保持部材１００を径方向外側に押す。このような方向付けは、スリーブ１２，１４のいずれか又は両方における適切な印を提供することにより、使用者に示すことができ、これにより、使用者が溝７４（すなわち図２に示すようなビット７０Ａ）のうちの一つの溝内に格納されたビット７０のうちの特別の一つを選択することを許す。このような選択は、透明なプラスチック材料の内側スリーブ１４を形成することによりさらに容易にされ得る。スリーブ１２，１４及びセレクターコアベース５２における既述した尾根及び溝の整列は、外側スリーブ１２が、内側スリーブ１４上にスライド可能に前進させ得るように、合わせられるときはいつでも、ビット交換スロット７６が、ビット格納穴溝７４のうちの隣接する一つを位置付けるとともに、そこからのビットの取り戻しのために揃えられるということを保証する。
【００１９】
また前に説明したように、第１スプリング８８は、図２に示すように、ビット交換スロット７６の方へ通って磁気レバーアーム８０の先端９１を傾ける。ビット交換スロット７６が、前述したように、溝７４のうちの隣接する選択された一つに配置されるとき、ビット７０Ａの中央部がレバーアーム８０の先端９１に磁気によって引きつけられる。使用者は、図３に示すように、スリーブ１４の外表面の溝２６及び尾根２４内でそれぞれスリーブ１２の内表面の尾根２８及び溝３０をスライド可能にかみ合わせるとともに、スリーブ１２，１４をそれらの相対位置に戻して、内側スリーブ１４上の前方に外側スリーブ１２を押す。この動作は、第２スプリング９８の内側に傾ける動作に打ち勝つとともに、押し棒３６から離れて径方向外側に止め部９４を移動させて、止め部９４上の上方前方に押し棒３６の先細部９３を最初に押す。スリーブ１４上においてスリーブ１２をさらに前方に押すことは、第１スプリング８８の傾き動作に打ち勝つとともに、押し棒３６から離れて径方向外側にレバーアーム８０を移動させて、レバーアーム８０に逆らって押し棒３６の先端を押す。ビット７０Ａは、ビット交換スロット７６を通って柄５４の開口部７８に、レバーアーム８０の先端９１に磁気によって引きつけられ続けるとともに溝７４から径方向内側に引かれる。またスリーブ１４上においてスリーブ１２をさらに前方に押すことは、隣接するビット７０Ａの後端に押し棒磁石４４を配置し、一旦、ビット７０Ａが、前述したように、開口部７８に引っ張られている。押し棒磁石４４は、押し棒３６の上に同軸に揃えてツールビット７０Ａを配置して、ビット７０Ａの後端を磁気によって引きつける。ビット７０Ａを磁気によって引きつける上述した二つの段階過程（すなわち、磁気レバーアーム８０によって実行される第１段階の引きつける力、及び押し棒磁石４４によって実行される第２の段階の引きつける力）は、スリーブ１４上にスリーブ１２をさらに前方に押すにあたって、ビット７０Ａを押しつけることに起因し得る押し棒３６にビット７０Ａを非同軸に揃える可能性を最小限にする。このような磁気的な引きつける力はまた、周囲に刻み目の付いたビットのように、いくつかの先行技術のビット交換メカニズムによって要求されるような、特化されたビットのための必要性を回避する。
【００２０】
外側スリーブ１２が内側スリーブ１４上にさらに前方に進められるとき、押し棒３６は、図３に示すように、ビット７０Ａがシャフト５８の先端でチャック６２に回転不可能に配置されるまで、柄５４及びシャフト５８のそれぞれにおいて同軸に揃った開口部７８，６５を通って、（押し棒磁石４４が押し棒３６の先端で磁気によって保持する）ビット７０Ａを押す。内側スリーブ１４が外側スリーブ１２内に伸縮自在に引き込まれるとき、スリーブ１２，１４に尾根と溝との間に延びた縦の接触、及び内側スリーブ１４の溝７４及び尾根７２内の尾根６４及び溝６６の前述したかみ合いは、スリーブ１２，１４、押し棒３６及びシャフト５８がねじ回し器１０の正常なねじ回し操作にあたって同軸に回転されるときにビット７０Ａに、伝達力、ねじれ力及び／又は駆動力のためのしっかりした支持を提供する。さらに、ねじ回し器１０が図３に描かれた操作状態にあるとき、外側スリーブ１２の内表面の尾根２８及び溝３０が、互いに相対するスリーブ１２、１４の回転を防止して、内側スリーブ１４の外表面の溝２６及び尾根２４内でそれぞれかみ合わされ続け、そして、これにより、ビット７０Ａが引き出された溝７４のうちの隣接するその一つにビット交換スロット７６を揃っている状態にする。
【００２１】
前述したように、外側スリーブ１２が後方に引かれるとき、（押し棒磁石４４が押し棒３６の先端において磁気によって保持する）ビット７０Ａが、チャック６２、シャフト５８及び柄５４を通って後方に引かれる。セレクターコア４６における開口部５３は、好ましくは、柄５４における六角形状の開口部７８を横切る２点間の直径より若干小さい（六角形状のビット７０Ａを横切る２点間の直径より若干小さい）直径の断面円形状である。従って、押し棒３６が開口部７８，５３の結合点を過ぎて（すなわちセレクターコア４６の前方面５６で）後方に引かれるので、ビット７０Ａの後端が開口部５３に通過することができない。ビット７０Ａは、このように押し棒磁石４４から引き離され、開口部７８に残る。押し棒３６が図２に示す位置に到着するとき、第１スプリング８８は、ねじ回し器１０の縦軸に関してレバーアーム８０の後端９０を径方向外側に押す。図２に示すように、レバーアーム８０は、径方向内側に、且つ、ビット交換スロット７６の方へ通って柄５４の開口部７８を横切って、レバーアーム８０の先端９１を走らせて、ピボットピン８２回りに旋回する。このスウィーピング動作は、ビット交換スロット７６を通って、また前述したように、ビットがすでに引き出された溝７４のうちの（空の）一つに、開口部７８から外へビット７０Ａを走らせる。既述したように、押し棒３６が、セレクターコア４６における開口部５３を通って前方に押されるとき、押し棒の先端は、レバーアーム８０に接触する。押し棒３６の継続した前進は、レバーアーム８０をピボットピン８２回りに旋回させ、これにより、図３に示すように、レバーアーム８０が柄５４の内表面において形成されるスロット１０２内でその格納位置に到着するまで、ビット交換スロット７６の反対側の柄５４の内壁の方へレバーアーム８０の先端９１を移動させる。
【００２２】
ねじ回し器１０は、溝７４があるのと同数のツールビット（すなわち溝７４又はビット格納穴につき一つのビット）を保持することができる。もし要求されるなら、異なるビットは、溝７４のうちの任意の一つに現在格納されているビットのうちの任意の一つに置き換えられ得る。これは、前述したように取り替えられたビットをチャック６２に装着するときにねじ回し器１０を作動させることによって成し遂げられる。このとき、使用者は、ビットの先端をつかみ、チャック６２の先端を通ってビットを取り外して、押し棒磁石４４から離して外側にそれを引く。その後、置き換えビット（図示しない）のベースは、該置き換えビットのベースが押し棒磁石４４により磁気によって保持されるまで、チャック６２を通って後方に挿入される。その後、ねじ回し器１０は、前述したように取り外したビットによってすでに占められた溝７４のうちのその一つに置き換えビットを移動させるために作動させる。もし要求されるなら、交換ビットの全部の配置は、ねじ回し器１０に現在格納されているビットの配置のために、一回で一つのビットを、この方法で、すばやく置き換えられ得る。
【００２３】
図６及び図７は電動ドリル（図示しない）の使用に適応される代わりのねじ回し器１０Ａを示している。図１〜図５と図６〜図７との実施形態に共通して、機能的に同等の構成部品は同じ参照符号を付し、さらなる説明を要しない。接尾辞“Ａ”は、多少異なった構造を有しているが、同じ（但し、非アルファベット順に末尾に付けられた）参照符号を付しているねじ回し器１０の構成部品に対し機能的に同等のねじ回し器１０Ａの構成部品を示す参照符号に追加される。例えば、ねじ回し器１０Ａのシャフト５８Ａは、ねじ回し器１０のケースにおけるように独立した一部として形成される代わりに、内側スリーブ１４に全体的に形成される（当業者であれば、ねじ回し器１０のシャフト５８が内側スリーブ１４で全体的に形成され得ることを認識する）。好ましくは断面六角形状の柄１０６は、外側スリーブ１２の後端１６において形成されるとともに後方に突き出る。押し棒３６Ａは、柄１０６の前方部において形成される円筒状の開口部１０８にスリーブ１２の後端１６を通って延びる。ねじ１１０（図６）は、操作にあたって柄１０６からの押し棒３６Ａの分離を防ぐために押し棒３６Ａの後端に柄１０６を通って固定される。柄１０６は、従来の電動ドリルのチャック内に取り外し可能に、且つ、しっかりと固定され得る。ドリルが作動されるときは、ねじ回し器１０Ａは、回転可能に駆動され、これによりツールビット７０Ａに回転駆動力を与える。
【００２４】
図８及び図９はより短いビット格納部１４Ｂであって取り外し可能であってもよいビット格納部１４Ｂを有する他の代わりの回し器１０Ｂを示している。図１〜図５と図８〜９との実施形態に共通して、機能的に同等の構成部品は同じ参照符号を付し、さらなる説明を要しない。接尾辞“Ｂ”は、異なった構造を有しているが、同じ非アルファベット順に末尾に付けられた参照符号を付しているねじ回し器１０の構成部品に相当するねじ回し器１０Ｂの構成部品に付す参照符号に追加される。柄５４Ｂ及びシャフト５８Ｂは、単一の不可欠な軸として形成される。（透明であってもよい）ビット格納部１４Ｂは、シャフト５８Ｂ上にスライド可能にぴったりはめ込まれてもよいように、また隣接するビット交換スロット７６Ｂに選択されたビットを配置するために回転させてもよいように環状の形状を有している。ビット格納部１４Ｂの後方に突き出るカラー１１４部分は、セレクターコア４６の先端において回転可能に装着される。すばやい切り離し又はねじれロックのメカニズム（示されていない）のような適切に解除可能に保持するメカニズムは、セレクターコア４６におけるカラー１１４の取り外し可能で回転可能な保持を具備され得る。外側スリーブ１２は、セレクターコア４６の後端にスライド可能に、且つ、回転不可能に装着される。ねじ回し器１０Ｂは、ツールビットの異なった選択でそれぞれ予め装着された取り外し可能な複数のビット格納部１４Ｂを具備されてもよく、これにより使用者が異なったビット格納部をその上に交換可能に装着することによりねじ回し器１０Ｂを異なる用途にすばやく適合させることができる。
【００２５】
図１０及び図１１は代わりの磁気レバーアームを有する他の代わりのねじ回し器１０Ｃを示している。図１〜図５と図１０及び図１１との実施形態に共通して、機能的に同等の構成部品は同じ参照符号を付し、さらなる説明を要しない。接尾辞“Ｃ”は、異なる構造を有しているが、同じ非アルファベット順に末尾に付けられた参照符号を付しているねじ回し器１０の構成部品に相当するねじ回し器１０Ｃの構成部品に付す参照符号に追加される。磁気レバーアーム８０Ｃは、押し棒３６Ｃに旋回するように装着され、第１スプリング８８Ｃによってセレクターコア４６Ｃにおけるビット交換スロット７６を通って傾けられる。レバーアーム磁石４４Ｃは、溝７４のうちの一つにおける選択されたツールビット７０Ａを、その先端に磁気によって引きつける。押し棒３６Ｃがセレクターコア４６Ｃを通って前方に押されるときに、レバーアーム８０Ｃの後端９０Ｃは、第１スプリング８８Ｃの傾斜に打ち勝つとともに先端９１Ｃ、及び柄５４にビット交換スロット７６Ｃを通って磁気によって引きつけられたツールビット７０Ａを旋回して、穴１１６の先端によって内側に押される。
【００２６】
先行開示事項からして当業者に明白なように、その意図又は範囲から外れることがなければ、本発明の実施において多くの変更及び修正が可能である。例えば、ビット格納穴に関連するビット交換スロットの位置付け可能の位置を決定するために内側スリーブの外表面及び外側スリーブの内表面に交互に配置された尾根及び溝を提供する代わりに、一つは、内側スリーブの後端における径方向外側に延びるピン及び外側スリーブの内表面における連続した径方向に間隔をおいて縦に延びるスロットを代りに提供することができ、或いは、押し棒３６が十分に引き出されるときを除いて、内側スリーブの内表面とのかみ合いをロックするためのスプリング保持部材１００を形成する。図１〜図５の実施形態におけるような個別のセレクターコアの柄５４及びシャフト５８を提供する代わりに、一つは単一の不可欠な（好ましくはスチール）軸を代用することができる。一つはまた、外側スリーブ１２を、押し棒３６の後端における単純なノブ又は他の適切なハンドグリップに取り替えることができる。スリーブ１２，１４は、お互いの中で伸縮自在にスライドできる必要はなく、例えば、図８〜図９の実施形態において、カラー１１４は、外側スリーブ１２内に伸縮自在にスライドできる必要がない。−スリーブ１２は、セレクターコア４６の後端においてスライド可能に、且つ、回転不可能に装着される。
【図面の簡単な説明】
【００２７】
【図１】図１は本発明に係る一実施形態のねじ回し器の分解斜視図である。
【図２】図２は図１に示すねじ回し器を組み立てた構成を側面からみた概略断面図であり、内側スリーブから離れて伸縮自在に伸びた外側スリーブを示し、ビット格納穴に戻されているビットを示す。
【図３】図３は図１に示すねじ回し器を組み立てた構成を側面からみた概略断面図であり、外側スリーブの中に伸縮自在に引込んだ内側スリーブを示し、チャックに使用するために配置されたビットを示す。
【図４】図４は図３に示す線４−４に関して得られた概略断面図である。
【図５】図５は図３に示す線５−５に関して得られた概略断面図である。
【図６】図６は電動ドリルの使用のために適応される本発明の代わりの実施形態の概略側面図である。
【図７】図7は図６の本発明の実施形態を側面からみた概略断面図である。
【図８】図８は取り外し可能なビットカートリッジを有する本発明の他の代わりの実施形態を側面からみた概略断面図である。
【図９】図９は図８の本発明の実施形態の斜視図である。
【図１０】図１０は代わりの磁気レバーアームを有する本発明のさらに代わりの実施形態を側面からみた概略断面図である。
【図１１】図１１は代わりの磁気レバーアームを有する本発明のさらに代わりの実施形態を側面からみた概略断面図である。
【符号の説明】
【００２８】
１０…ねじ回し器  １４…ビット格納部  ３６…押し棒  ４１…ビット格納部
４４…押し棒  ４６…コア  ５８…シャフト  ７０…ツールビット  ７４…ビット格納穴
７６…スロット  ８０…磁気レバーアーム
【図１】
2004520951.tif 000003
【図２】
2004520951.tif 000004
【図３】
2004520951.tif 000005
【図４】
2004520951.tif 000006
【図５】
2004520951.tif 000007
【図６】
2004520951.tif 000008
【図７】
2004520951.tif 000009
【図８】
2004520951.tif 000010
【図９】
2004520951.tif 000011
【図１０】
2004520951.tif 000012
【図１１】
2004520951.tif 000013
【国際公開パンフレット】
2004520951.tif 000014
2004520951.tif 000015
2004520951.tif 000016
2004520951.tif 000017
2004520951.tif 000018
2004520951.tif 000019
2004520951.tif 000020
2004520951.tif 000021
2004520951.tif 000022
2004520951.tif 000023
2004520951.tif 000024
2004520951.tif 000025
2004520951.tif 000026
2004520951.tif 000027
2004520951.tif 000028
2004520951.tif 000029
2004520951.tif 000030
2004520951.tif 000031
2004520951.tif 000032
2004520951.tif 000033
2004520951.tif 000034
2004520951.tif 000035
2004520951.tif 000036
2004520951.tif 000037
2004520951.tif 000038
2004520951.tif 000039
2004520951.tif 000040
2004520951.tif 000041
2004520951.tif 000042
2004520951.tif 000043
2004520951.tif 000044
2004520951.tif 000045
2004520951.tif 000046
【国際調査報告】
2004520951.tif 000047
2004520951.tif 000048